(57)【要約】【課題】基板ボックスが遊技盤又は機構盤等の裏面側から不用意に取り外されることを防止することができる遊技機を提供すること。【解決手段】役物カバー９が閉鎖されると、役物カバー９の係合板９ｉ，９ｊがボックスカバー１２ｂの係合穴１２ｄ，１２ｅと係合され、主制御基板ボックス１２が主制御基板ボックス取付ベース１４に対して取り外し方向へスライド移動することが規制される。この結果、主制御基板ボックス１２が主制御基板ボックス取付ベース１４に対して所定の位置に位置決めされて拘止される。かかる主制御基板ボックス１２を取り外す場合には、役物カバー９を開放して一対の係合板９ｉ，９ｊと係合穴１２ｄ，１２ｅとの係合を解除しなければならない。よって、主制御基板ボックス１２は、役物カバー９が閉鎖された状態で主制御基板ボックス取付ベース１４から取り外せないので、かかる主制御基板ボックス１２の不用意な取り外しが防止される。【選択図】図６
2010179165.tif 000002
【特許請求の範囲】
【請求項１】
遊技の制御を行う制御基板を被包するため遊技盤又は機構盤等の裏面側に着脱可能に取着される基板ボックスと、その基板ボックスに隣接して配設され前記遊技盤又は機構盤等の裏面側を覆うカバー部材とを備えた遊技機において、
前記基板ボックスに設けられる第１結合部と、その第１結合部と結合自在に前記カバー部材に設けられる第２結合部とを有し、前記遊技盤又は機構盤等の裏面側が前記カバー部材により覆われる場合に、前記第１及び第２結合部を結合して前記基板ボックスを所定位置に拘止するボックス拘止具を備えていることを特徴とする遊技機。
【発明の詳細な説明】
【技術分野】
【０００１】
本発明は、遊技盤又は機構盤等の裏面側に着脱可能に取着される基板ボックスを備えた遊技機に関し、特に、基板ボックスが遊技盤又は機構盤等の裏面側から不用意に取り外されることを防止することができる遊技機に関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御基板またはマイクロコンピュータを有する制御基板等により行われる。この制御基板はボックスベースおよびボックスカバーを備えた制御基板ボックスに被包されており、この制御基板ボックスは、取付ベースを介して、遊技盤の裏面側に配設される入賞球集合カバーや機構盤に取着されている。
【０００３】
このような制御基板ボックスを取付ベースに取り付ける場合には、制御基板ボックスのメンテナンス等を考慮して、制御基板ボックスを取付ベースに着脱可能な状態で取り付ける必要がある。このため、例えば、制御基板ボックスに別途フック部材などを取着して、そのフック部材を取付ベースに穿設された係合穴に引っ掛けて係合することにより、制御基板ボックスを取付ベースに結合し取り付けていた。
【発明の概要】
【発明が解決しようとする課題】
【０００４】
しかしながら、上記のフック部材を用いた制御基板ボックスと取付ベースとの結合では、フック部材が遊技機の裏面側に操作可能な状態で配設されるため、かかるフック部材が誤って操作されて、制御基板ボックスと取付ベースとの結合状態が容易に解除されてしまう。このため、遊技機の検査時や遊技機の出荷時において、フック部材が誤って操作されて、制御基板ボックスが遊技機の裏面側から不用意に取り外されてしまうという問題点があった。
本発明は上述した問題点を解決するためになされたものであり、基板ボックスが遊技盤又は機構盤等の裏面側から不用意に取り外されることを防止することができる遊技機を提供することを目的としている。
【課題を解決するための手段】
【０００５】
この目的を達成するために請求項１記載の遊技機は、遊技の制御を行う制御基板を被包するため遊技盤又は機構盤等の裏面側に着脱可能に取着される基板ボックスと、その基板ボックスに隣接して配設され前記遊技盤又は機構盤等の裏面側を覆うカバー部材とを備え、前記基板ボックスに設けられる第１結合部と、その第１結合部と結合自在に前記カバー部材に設けられる第２結合部とを有し、前記遊技盤又は機構盤等の裏面側が前記カバー部材により覆われる場合に、前記第１及び第２結合部を結合して前記基板ボックスを所定位置に拘止するボックス拘止具を備えている。
この請求項１記載の遊技機によれば、制御基板を被包する基板ボックスは、遊技盤又は機構盤等の裏面側に着脱可能に取着される。この基板ボックスに隣接して配設されるカバー部材によって遊技盤又は機構盤等の裏面側が覆われると、カバー部材に設けられる第２結合部が基板ボックスに設けられる第１結合部と結合される。この第１及び第２結合部の結合により、ボックス拘止具は、遊技盤又は機構盤等の裏面側に着脱可能に取着される基板ボックスを所定位置に拘止するのである。
【発明の効果】
【０００６】
本発明の遊技機によれば、遊技盤又は機構盤等の裏面側に着脱可能に取着される基板ボックスは、ボックス拘止具によって、遊技盤又は機構盤等の裏面側の所定位置に拘止される。このボックス拘止具では、基板ボックスに設けられる第１結合部とカバー部材に設けられる第２結合部とが結合されることによって、遊技盤又は機構盤等の裏面側に着脱可能に取着される基板ボックスを所定位置に拘止するので、基板ボックスを取り外す際にカバー部材を遊技盤又は機構盤等の裏面側から取り外さなければならない。即ち、基板ボックスは、遊技盤又は機構盤等の裏面側がカバー部材で覆われた状態では取り外せないので、基板ボックスの不用意な取り外しを防止することができるという効果がある。
【図面の簡単な説明】
【０００７】
【図１】本発明の遊技機の一実施例であるパチンコ機における前面枠及び遊技盤の裏面図である。
【図２】セーフ球集合カバーの裏面図である。
【図３】（ａ）は、役物カバーの裏面図であり、（ｂ）は、その下面図である。
【図４】機構盤の裏面図である。
【図５】機構盤の裏面に配設された主制御基板ボックスの拡大図である。
【図６】（ａ）は、主制御基板ボックス取付ベースに取着された主制御基板ボックスを部分的に断面視した側面図であり、（ｂ）は、（ａ）の主制御基板ボックスをパチンコ機の裏面側から部分的に拡大視した部分拡大図である。
【図７】（ａ）は、機構盤が前面枠（遊技盤）に対して開放された状態におけるパチンコ機の横断面図であり、（ｂ）は、機構盤が前面枠（遊技盤）に対して閉鎖された状態におけるパチンコ機の横断面図である。
【図８】パチンコ機の裏面図である。
【図９】図８のＶＩＩ−ＶＩＩ線における部分的な拡大横断面図である。
【図１０】図８のＶＩＩＩ−ＶＩＩＩ線におけるパチンコ機の横断面図である。
【図１１】第２実施例のパチンコ機に使用される遊技盤の下面図である。
【発明を実施するための形態】
【０００８】
以下、本発明の好ましい実施例について、添付図面を参照して説明する。図１は、本発明の遊技機の一実施例であるパチンコ機Ｐにおける前面枠１及び遊技盤２の裏面（背面）図である。前面枠１は、パチンコ機Ｐ（図８参照）の前面外周に周設される枠状体であり、合成樹脂材料で略矩形額縁状に形成されている。
【０００９】
前面枠１の上側縁部には梁状の上縁フレーム１ａが設けられ、この上縁フレーム１ａの左右両端には、前面枠１の左右両縁部を構成する一対の側縁フレーム１ｂ，１ｃの上端が連設されている。この一対の側縁フレーム１ｂ，１ｃの下端には略板状の下縁フレーム１ｄの左右両端が連設されており、これらの各フレーム１ａ〜１ｄにより囲まれた部分には遊技盤２の外形に適合した略矩形状の収納空間１ｅが設けられている。
【００１０】
収容空間１ｅの側縁フレーム１ｂ側の縁部には一対の挿嵌穴１ｆ，１ｆが凹設されている。この一対の挿嵌穴１ｆ，１ｆは、後述する機構盤１０に取り付けられた係着具１８，１８（図４参照）が係合される穴であり、側縁フレーム１ｂの上側および下側部分にそれぞれ１つずつ凹設されている。一方、前面枠１の側縁フレーム１ｃには、その上側および下側部分に後述する機構盤１０のヒンジピン１０ｂ，１０ｂが回動可能に軸支されるピン係合部１ｇ，１ｇが１つずつ設けられている。
【００１１】
遊技盤２は、木製の合板等で略矩形平板状に形成されており、前面枠１の収容空間１ｅに着脱可能に収容されている。遊技盤２の裏面２ａには、遊技盤２の板厚方向（図１の紙面に対する垂直方向）へ貫通した複数の配設穴２ｂ〜２ｅが穿設されている。配設穴２ｂは、遊技盤２の略中央部分に設けられており、この配設穴２ｂには複数種類の識別情報としての図柄等を表示する可変表示装置（図示せず）が配設される。
【００１２】
また、配設穴２ｃは、第１種始動口（普通電動役物に係る入賞口）を備えた入賞装置（図示せず）が配設される穴であり、配設穴２ｄ，２ｄは、普通入賞口をを備えた入賞装置（図示せず）が配設される穴であり、配設穴２ｅは、大入賞口を備えた可変入賞装置（図示せず）が配設される穴である。以下、配設穴２ｂ〜２ｅに配設される可変表示装置および各種入賞装置のことを「構成部品群」と称す。
【００１３】
これらの配設穴２ｂ〜２ｅに構成部品群が配設されることにより、構成部品群に接続される接続線（構成部品の露出部分）が遊技盤２の裏面２ａ側に導出されるのである。また、この遊技盤２の裏面２ａには、配設穴２ｃ〜２ｅに配設される各種入賞装置の入賞口へ入賞した球を遊技領域２ｆの外部へ排出するため、合成樹脂材料等で形成されたセーフ球集合カバー３が取着されている。
【００１４】
セーフ球集合カバー３は、主に、略平板状に形成されたベース板３ａを備え、このベース板３ａは遊技盤２の配設穴２ｂの周囲を囲むようにして、遊技盤２の裏面２ａに取着されている。このベース板３ａの下側部分であって配設穴２ｂの下方には、各種入賞装置へ入賞した球が通過可能な通路を有する球集合樋３ｂが設けられており、この球集合樋３ｂにより入賞球を遊技領域２ｆの外部へ排出することができるのである。
【００１５】
セーフ球集合カバー３が取着された遊技盤２の裏面２ａには、セーフ球集合カバー３の一側（図１右側）を覆うように役物カバー９（図３参照）を支持するカバー支持部材３ｃが取着されており、セーフ球集合カバー３の他側（図１左側）には一対の封印ボス３ｅ，３ｅが設けられている。なお、カバー支持部材３ｃの上側および下側部分には、役物カバー９のヒンジピン９ｄ，９ｄが回動可能に軸支されるピン係合部３ｄ，３ｄがそれぞれ１つずつ設けられている。
【００１６】
ここで、図２を参照して、セーフ球集合カバー３における一対の封印ボス３ｅ，３ｅについて説明する。図２は、セーフ球集合カバー３の裏面図である。図２に示すように、一対の封印ボス３ｅ，３ｅは、ベース板３ａの左縁部分（図２左側）にそれぞれ設けられており、ベース板３ａと一体的にそれぞれ形成されている。この一対の封印ボス３ｅ，３ｅは、ベース板３ａの上側および下側部分にそれぞれ１つずつ設けられ、ベース板３ａから図２の紙面に対する垂直方向手前側へ向けて突出されている。
【００１７】
この一対の封印ボス３ｅ，３ｅの突出側の端面（図２の手前側端面）には、略円形状の挿嵌穴３ｆがそれぞれ１つずつ形成されている。この各挿嵌穴３ｆ，３ｆは、役物カバー９に取着される係着具１５のロック部材１５ｂ（図３参照）が挿嵌されて係合される穴であり、このロック部材１５ｂを挿嵌穴３ｆに係合することにより役物カバー９をセーフ球集合カバー３に係着することができるのである（図１０参照）。また、各封印ボス３ｅ，３ｅの突出側の端面には、各挿嵌穴３ｆ，３ｆに隣接して略円形状のねじ穴３ｇがそれぞれ１つずつ凹設されている。この各ねじ穴３ｇ，３ｇは、役物カバー９を遊技盤２の裏面２ａに開放不能に封印する場合に、役物カバー９の各封印リブ９ｅ，９ｅをセーフ球集合カバー３の各封印ボス３ｅ，３ｅにねじ止めして連結するための穴である。
【００１８】
図１に戻って説明する。セーフ球集合カバー３のベース板３ａには、配設穴２ｂの左側部分にサブ制御基板ボックス取付ベース４が取着され、このサブ制御基板ボックス取付ベース４にはランプ制御基板ボックス５及び音声制御基板ボックス６が着脱可能に取着されている。ここで、ランプ制御基板ボックス５は、前面枠１、遊技盤２、ガラス扉枠等に配設されるランプの点灯又は消灯を制御するランプ制御基板を収容するものであり、音声制御基板ボックス６は、遊技内容に応じてスピーカから発生される音声を制御する音声制御基板を収容するものである。尚、本実施例では、ランプ制御基板、音声制御基板、ガラス扉枠およびスピーカの図示を省略している。
【００１９】
また、セーフ球集合カバー３のベース板３ａの上部には、構成部品群などから導出される接続線を中継するための中継基板７が取着されており、この中継基板７の右側上部には、パチンコ機Ｐと台管理装置（図示せず）とを電気的に接続するための外部端子板８が取着されている。
【００２０】
図３（ａ）は、役物カバー９の裏面図であり、図３（ｂ）は、その下面図である。役物カバー９は、遊技盤２の裏面２ａ側に露出する配設穴２ｂ〜２ｅや、セーフ球集合カバー３及びサブ制御基板ボックス取付ベース４を介して遊技盤２の裏面２ａに取着されるランプ制御基板ボックス５及び音声制御基板ボックス６を覆うための部材である。
【００２１】
図３（ａ）に示すように、役物カバー９は、合成樹脂材料等で形成されており、主に、略矩形平板状に形成された覆蓋板９ａと、その覆蓋板９ａの一側縁辺（図３（ａ）右側）に立設される略平板状の側壁板９ｂと、覆蓋板９ａの他側縁辺（図３（ａ）左側）に立設される略平板状の側壁板９ｃと、覆蓋板９ａの下側縁辺（図３（ａ）下側）に立設される略平板状の下壁板９ｈと、覆蓋板９ａの上側縁辺（図３（ａ）上側）に立設される略平板状の上壁板９ｋとを備え、これらの５枚の各板９ａ〜９ｃ，９ｈ，９ｋにより略矩形椀状に形成されている。
【００２２】
側壁板９ｂの上側部分および下側部分には略Ｌ字状に形成されたヒンジピン９ｄ，９ｄがそれぞれ１つずつ設けられている。この一対のヒンジピン９ｄ，９ｄの先端部分は、上述したカバー支持部材３ｃにおける一対のピン係合部３ｄ，３ｄに挿嵌可能に形成されており、この一対のヒンジピン９ｄ，９ｄにより、役物カバー９をセーフ球集合カバー３（遊技盤２）に対して開閉可能に支持することができるのである。
【００２３】
一方、側壁板９ｃの上側および下側部分には略平板状の封印リブ９ｅ，９ｅがそれぞれ１つずつ設けられている。この一対の封印リブ９ｅ，９ｅには、略円形状の取付穴９ｆがそれぞれ１つずつ穿設されている。この各取付穴９ｆ，９ｆは、後述する係着具１５のボタン部材１５ａ（図３（ｂ）参照）が嵌合され取付られる穴である。また、一対の封印リブ９ｅ，９ｅには、各取付穴９ｆ，９ｆに隣接して略円形状の通穴９ｇがそれぞれ１つずつ穿設されている。この各通穴９ｇ，９ｇは、役物カバー９をセーフ球集合カバー３に封印する場合に、連結ねじ１６（図９参照）を挿入するための穴である。
【００２４】
図３（ｂ）に示すように、封印リブ９ｅは、側壁板９ｃにおける覆蓋板９ａの連設端部とは反対端部（図３（ｂ）左下側）に連設され、役物カバー９の外方（図３（ｂ）左側）へ向けて延設されている。この封印リブ９ｅの取付穴９ｆには、係着具１５のボタン部材１５ａが嵌合されている。この係着具１５は、セーフ球集合カバー３に役物カバー９を係着する部品であり、パネルファスナとして汎用されるナイラッチ（登録商標）で構成されている。この係着具１５は、その円筒状に形成されたロック部材１５ｂを備えており、このロック部材１５ｂ内にはボタン部材１５ａが摺動可能に挿嵌されている。ロック部材１５ｂは、その先端部（図３（ｂ）下側端）に切り込みが設けられており、その外径方向へ開閉可能に形成されている。
【００２５】
役物カバー９の下壁板９ｈには、その下壁板９ｈにおける覆蓋板９ａの連設端部とは反対端部（図３（ｂ）下側）に一対の略平板状の係合板９ｉ，９ｊが突設されている。この一対の係合板９ｉ，９ｊは、後述する主制御基板ボックス１２のボックスカバー１２ｂに凹設される係合穴１２ｄ，１２ｅと係合可能に形成されている。この各係合板９ｉ，９ｊがボックスカバー１２ｂの各係合穴１２ｄ，１２ｅと係合されることにより、主制御基板ボックス１２と役物カバー９とが結合されるのである。
【００２６】
図４は、機構盤１０の裏面図である。機構盤１０は、賞球の払い出しを行う賞球払出装置１１が搭載された部品であり、主に、合成樹脂材料等で略矩形額縁状に形成された本体フレーム１０ａを備えている。本体フレーム１０ａの一側（図４右側）であって、その上側および下側部分には、上述した前面枠１のピン係合部１ｇ，１ｇに回動可能に軸支されるヒンジピン１０ｂ，１０ｂがそれぞれ１つずつ設けられている。このヒンジピン１０ｂ，１０ｂは、機構盤１０を前面枠１の裏面側に開閉可能に軸支するための軸部材である。
【００２７】
本体フレーム１０ａには、ヒンジピン１０ｂ，１０ｂ側とは反対側の縁部（図４左側）、即ち、本体フレーム１０ａの左側縁部に一対の係着具１８，１８が取り付けられている。この係着具１８は、上述した係着具１５と同種類の部品であり、前面枠１の挿嵌穴１ｆ，１ｆに対応して、本体フレーム１０ａの左側縁部の上側および下側部分にそれぞれ１個ずつ取り付けられている。この一対の係着具１８，１８が前面枠１の挿嵌穴１ｆ，１ｆに係合されることによって、機構盤１０を前面枠１の裏面側に係着することができるのである。尚、係着具１８は、上述した係着具１５と同種類の部品で構成されるので、その説明を省略する。
【００２８】
本体フレーム１０ａの略中央部分には、略矩形状の開口である開口窓１０ｃが本体フレーム１０ａの厚さ方向（図４の紙面に対する垂直方向）に貫通形成されている。この開口窓１０ｃは、前面枠１に取着された機構盤１０によって遊技盤２の裏面２ａが覆われた場合に、セーフ球集合カバー３の一部を機構盤１０の裏面側に露出させるための開口であり、この開口窓１０ｃから配設穴２ｂ〜２ｅに配設される構成部品群、カバー支持部材３ｃのピン係合部３ｄ，３ｄ、並びに、ランプ制御基板ボックス５及び音声制御基板ボックス６が機構盤１０の裏側に露出される。また、開口窓１０ｃの左側縁部には補強梁１０ｄが設けられており、この補強梁１０ｄによって本体フレーム１０ａの剛性強度が補強されている。
【００２９】
機構盤１０の本体フレーム１０ａの上部には賞球が一旦貯留される賞球タンク１０ｅが配設され、この賞球タンク１０ｅの下方には賞球タンクレール１０ｆが連設されている。賞球タンクレール１０ｆは、賞球タンク１０ｅへ供給された球を賞球として払い出す賞球払出装置１１へ導くものであり、賞球払出装置１１は賞球タンクレール１０ｆの下流側端部に連設されている。
【００３０】
図５は、機構盤１０の裏面に配設された主制御基板ボックス１２の拡大図であり、図中の矢印Ｚは、主制御基板ボックス１２を主制御基板ボックス取付ベース１４に取り付ける際の主制御基板ボックス１２のスライド移動方向（取り付け方向）を示している。図５に示すように、機構盤１０の開口窓１０ｃの下縁部分には主制御基板ボックス１２が配設されている。主制御基板ボックス１２は、パチンコ機Ｐにおける遊技全体の制御を行う主制御基板１３を収容するものであり、透明な合成樹脂材料等で略中空箱状体に形成されている。
【００３１】
この主制御基板ボックス１２は、主に、ボックスベース１２ａと、そのボックスベース１２ａに被せられ覆設されるボックスカバー１２ｂとを備え、ボックスベース１２ａ及びボックスカバー１２ｂは、いずれも略矩形皿状に形成されている。この主制御基板ボックス１２によれば、ボックスベース１２ａ及びボックスカバー１２ｂを重ね合わせて合致（合体）させることにより、主制御基板１３を収容して被包することができる。
【００３２】
ボックスカバー１２ｂの上縁部分（図４上側）には、主制御基板１３に搭載される複数のコネクタ１３ａに対応して複数（９個）の略長方形状のコネクタ口１２ｃが開口形成されている。これらの複数のコネクタ口１２ｃからは、主制御基板１３の各コネクタ１３ａが主制御基板ボックス１２の外部に突出（露出）されており、これらの各コネクタ１３ａを介して、主制御基板１３に接続線を接続することができる。なお、これらの複数のコネクタ１３ａに接続される接続線を介して、主制御基板１３は、遊技盤２に配設される構成部品群、ランプ制御基板および音声制御基板などと電気的に接続されるのである。
【００３３】
ボックスカバー１２ｂには一対の略長方形状の係合穴１２ｄ，１２ｅが凹設されている。この一対の係合穴１２ｄ，１２ｅは、上述した役物カバー９の係合板９ｉ，９ｊに対応して凹設されており、かかる係合板９ｉ，９ｊと係合可能に形成されている。この各係合板９ｉ，９ｊがボックスカバー１２ｂの各係合穴１２ｄ，１２ｅに係合されることにより、主制御基板ボックス１２と役物カバー９とを結合することができるのである。
【００３４】
主制御基板ボックス１２の左右両側面には、ボックスベース１２ａとボックスカバー１２ｂと連結して主制御基板ボックス１２を封印するボックス封印具１２ｆが４個ずつ（計８個）配設されている。このボックス封印具１２ｆによって、主制御基板ボックス１２は開封不能に封印されるので、主制御基板ボックス１２が不正に開封されて、主制御基板１３に搭載された電子部品を交換して遊技内容を変更する不正行為を防止することができる。
【００３５】
ボックスベース１２ａの左右両側面には計４つの略矩形平板状の係入リブ１２ａ１が凸設されており、この４つの係入リブ１２ａ１は、主制御基板ボックス１２を主制御基板ボックス取付ベース１４に連結するための部位である。４つの係入リブ１２ａ１は、ボックスベース１２ａの左側面における上側および下側部分にそれぞれ１つずつボックスベース１２ａの外方（図５左側）へ凸設される一方、ボックスベース１２ａの右側面における上側および下側部分にそれぞれ１つずつボックスベース１２ａの外方（図５右側）へ凸設されている。
【００３６】
一方、主制御基板ボックス１２は、機構盤１０の本体フレーム１０ａの裏面に取着された主制御基板ボックス取付ベース１４によって機構盤１０に着脱可能に取着されている。主制御基板ボックス取付ベース１４は、金属材料等で構成されており、その左右両縁部には計４つの上面視（下面視）略コ字状（図１０参照）の係入フック１４ｄが屈曲形成されている。
【００３７】
４つの係入フック１４ｄは、ボックスベース１２ａの４つの係入リブ１２ａ１がそれぞれ係入されることによって、主制御基板ボックス１２を主制御基板ボックス取付ベース１４に連結するための部位である。この４つの係入フック１４ｄは、主制御基板ボックス取付ベース１４の左側縁部おける上側および下側部分にそれぞれ１つずつ屈曲形成される一方、主制御基板ボックス取付ベース１４の右側縁部における上側および下側部分にそれぞれ１つずつ屈曲形成されている。
【００３８】
図６（ａ）は、主制御基板ボックス取付ベース１４に取着された主制御基板ボックス１２を部分的に断面視した側面図であり、図６（ｂ）は、図６（ａ）の主制御基板ボックス１２を機構盤１０の裏面側から部分的に拡大視した部分拡大図である。
【００３９】
なお、図６（ａ）ではボックス封印具１２ｆの図示を省略し、役物カバー９を２点鎖線で図示している。また、図６中の矢印Ｚは、主制御基板ボックス１２を主制御基板ボックス取付ベース１４に取り付ける際の主制御基板ボックス１２のスライド移動方向（取り付け方向）を示すと共に、各係入リブ１２ａ１を各係入フック１４ｄの間隙１４ｅへ係入する際の係入方向も示している。
【００４０】
図６（ａ）に示すように、主制御基板ボックス取付ベース１４は、主に、略平板状の主板１４ａと、この主板１４ａに連設され機構盤１０に取着される支持ステー１４ｂとを備えている。主板１４ａの下端（図６（ａ）下側）には略平板状の台板１４ｃが一体的に形成され、この各板１４ａ，１４ｃは側面視略Ｌ字状に連設されている。台板１４ｃは、主制御基板ボックス１２の下端面（図６（ａ）下側）を支持する板材であると共に、この台板１４ｃによって、主制御基板ボックス１２が主制御基板ボックス取付ベース１４に取り付けられる際の矢印Ｚ方向へのスライド移動を規制することができるのである。
【００４１】
一方、図６（ｂ）に示すように、主制御基板ボックス取付ベース１４の左側縁部には２つの係入フック１４ｄが屈曲形成されている。この係入フック１４ｄの先端部１４ｄ１は、図６（ａ）に示すように、主板１４ａと間隔を隔てて設けられており、この主板１４ａと先端部１４ｄ１との間には間隙１４ｅが形成されている。この間隙１４ｅにはボックスベース１２ａの係入リブ１２ａ１が係入されており、かかる係入によって、係入リブ１２ａ１が主板１４ａと係入フック１４ｄの先端部１４ｄ１との間に挟持されている。この結果、主制御基板ボックス１２が主制御基板ボックス取付ベース１４に連結されつつ保持されている。
【００４２】
このようにして保持される主制御基板ボックス１２を主制御基板ボックス取付ベース１４から取り外す場合には、主制御基板ボックス１２を主板１４ａに対して反矢印Ｚ方向へスライド移動させて、係入リブ１２ａ１が係入フック１４ｄの間隙１４ｅから抜き外されることにより行われる。
【００４３】
図７（ａ）は、機構盤１０が前面枠１（遊技盤２）に対して開放された状態におけるパチンコ機Ｐの横断面図であり、図７（ｂ）は、機構盤１０が前面枠１（遊技盤２）に対して閉鎖された状態におけるパチンコ機Ｐの横断面図である。なお、図７では、セーフ球集合カバー３に設けられる球集合樋３ｂの図示を省略している。
【００４４】
図７（ａ）に示すように、機構盤１０は、前面枠１のピン係合部１ｇに軸支されたヒンジピン１０ｂを回動中心として、前面枠１の裏面側に開閉可能に取着されている。この機構盤１０によれば、ヒンジピン１０ｂを回転中心として遊技盤２の裏面２ａ側へ向けて回動されると、その機構盤１０が前面枠１に対して閉鎖され、図７（ｂ）に示す状態となる。なお、遊技盤２の裏面２ａの反対面（前面）側には、球が打ち込まれる遊技領域２ｆが形成されている。
【００４５】
図７（ｂ）に示すように、機構盤１０が閉鎖された状態では、サブ制御基板ボックス取付ベース４に取着されたランプ制御基板ボックス５、音声制御基板ボックス６、及び、カバー支持部材３ｃのピン係合部３ｄが開口窓１０ｃから機構盤１０の裏面側（図７（ｂ）上側）に露出されている。また、機構盤１０の補強梁１０ｄは、サブ制御基板ボックス取付ベース４とセーフ球集合カバー３の封印ボス３ｅとの間に位置され、その封印ボス３ｅに沿うように並設されている。
【００４６】
図８は、本発明の一実施例であるパチンコ機Ｐの裏面図であり、役物カバー９がセーフ球集合カバー３に封印された状態を図示している。図８に示すように、役物カバー９は、そのヒンジピン９ｄ、９ｄが機構盤１０の開口窓１０ａから露出されたカバー支持部材３ｃのピン係合部３ｄ，３ｄにより軸支されることによって、機構盤１０の裏面側に配設されている。この機構盤１０の開口窓１０ａのほぼ全域は役物カバー９によって覆われており、その結果、遊技盤２の配設穴２ｂ〜２ｅに配設される構成部品群、主制御基板ボックス１２の外部に突出された各コネクタ１３ａが役物カバー９で覆い隠されている。しかも、かかる役物カバー９は、その封印リブ９ｅ，９ｅがセーフ球集合カバー３の封印ボス３ｅ，３ｅに合致され、セーフ球集合カバー３に封印されている。
【００４７】
図９は、図８のＶＩＩ−ＶＩＩ線における部分的な拡大横断面図であり、セーフ球集合カバー３の封印ボス３ｅと役物カバー９の封印リブ９ｅとを拡大視している。図９に示すように、封印リブ９ｅの通穴９ｇには、連結ねじ１６が挿入されている。この連結ねじ１６は、例えば、十字穴付木ねじで構成されており、主に、十字穴が上端面に凹設された頭部１６ａと、外周におねじが刻設された軸部１６ｂとを備えている。この連結ねじ１６は、その軸部１６ｂが封印ボス３ｅのねじ穴３ｇにねじ込まれ螺合される一方、頭部１６ａが通穴９ｇの縁部と係合されることによって、封印ボス３ｅと封印リブ９ｅとを連結している。
【００４８】
封印リブ９ｅの上面には、通穴９ｇに係合された頭部１６ａを覆い塞ぐように封印シール１７が貼付され、この封印シール１７は封印リブ９ｅの側面と封印ボス３ｅの側面（図９左側）とに跨って貼付されている。封印シール１７は、シート状の基材１７ａに特殊な粘着層１７ｂが塗布されたシール材で構成されており、この封印シール１７が貼付された後に剥がされると、粘着層１７ｂが基材１７ａから剥離して貼付部分に残存するように構成されている。よって、一度剥がされた封印シール１７を再度貼付することができないので、封印シール１７が不正に剥がされた場合に役物カバー９の開封を容易に発見することができる。
【００４９】
図１０は、図８のＶＩＩＩ−ＶＩＩＩ線におけるパチンコ機Ｐの横断面図であり、セーフ球集合カバー３の球集合樋３ｂの図示を省略している。図１０に示すように、役物カバー９の封印リブ９ｅには係着具１５が取り付けられている。この係着具１５によれば、役物カバー９が閉鎖されると、ロック部材１５ｂがセーフ球集合カバー３の挿嵌穴３ｆに挿嵌される。かかる状態でボタン部材１５ａが遊技盤２側（図１０下側）へ向けて押し込まれると、そのロック部材１５ｂの先端部（図１０下端部）が外径方向へ開かれ拡大されて、挿嵌穴３ｆ内に係合される。かかる挿嵌穴３ｆ内にロック部材１５ｂの先端部が係合されることにより、封印ボス３ｅと封印リブ９ｅとが連結され、セーフ球集合カバー３と役物カバー９とが係着されるのである。尚、係着具１５による係着を解除する場合には、上述した操作と逆の操作が行われる。
【００５０】
このように、係着具１５を用いてセーフ球集合カバー３と役物カバー９とを着脱可能に係着することによって、役物カバー９をセーフ球集合カバー３に仮止めすることができる。かかる仮止めによって、役物カバー９が連結ねじ１６及び封印シール１７により封印される以前、例えば、パチンコ機Ｐの組立作業の際に役物カバー９が不用意に開放することを防止することができるのである。しかも、連結ねじ１６によって封印ボス３ｅと封印リブ９ｅとを連結する場合には、各通穴９ｇと各ねじ穴３ｇとの位置を正確に合致させることができる。よって、連結ねじ１６を各通穴９ｇへそれぞれ挿入して、各ねじ穴３ｇへ容易にねじ込むことができるとともに、連結ねじ１６の無理なねじ込みによる封印ボス３ｅや封印リブ９ｅの破損を防止することができる。
【００５１】
また、機構盤１０の補強梁１０ｄは、セーフ球集合カバー３のベース板３ａと役物カバー９との間、具体的にはベース板３ａと側壁板９ｃの封印リブ９ｅ側（図１０下側）端部との間に挟持されている。このため、役物カバー９がセーフ球集合カバー３に封印された場合には、役物カバー９が開封されない限り、機構盤１０を開放することができない。よって、役物カバー９を封印することで機構盤１０も一緒に封印することができるのである。
【００５２】
次に、上記のように構成された主制御基板ボックス１２の拘止方法について説明する。まず、主制御基板１３を主制御基板ボックス１２で被包した後、主制御基板ボックス１２は、そのボックスベース１２ａが主制御基板ボックス取付ベース１４の主板１４ａと対向されつつ、その主板１４ａに対して台板１４ｃ側（図６（ａ）の矢印Ｚ方向）へスライド移動される。このスライド移動によって、ボックスベース１２ａの各係入リブ１２ａ１が各係入フック１４ｄの各間隙１４ｅにそれぞれ係入される。
【００５３】
この係入によって、各係入リブ１２ａ１が各係入フック１４ｄの先端部１４ｄ１と主板１４ａとの間に挟持され、主制御基板ボックス１２の下端面（図６（ａ）下側）が台板１４ｃと当接される。この当接により、主制御基板ボックス１２の矢印Ｚ方向へのスライド移動が制限されると、図６（ａ）、（ｂ）に示すように、主制御基板ボックス１２が主制御基板ボックス取付ベース１４に取り付けられて保持される。
【００５４】
主制御基板ボックス１２の取り付け後、役物カバー９のヒンジピン９ｄ，９ｄがカバー支持部材３ｃのピン係合部３ｄ，３ｄにそれぞれ軸支されて、役物カバー９がカバー支持部材３ｃに開閉可能に支持される。その後、役物カバー９がヒンジピン９ｄ，９ｄを中心に遊技盤２の裏面２ａへ向けて閉鎖されると、その閉鎖に伴って、役物カバー９の下壁板９ｈに突設された一対の係合板９ｉ，９ｊが主制御基板ボックス１２のボックスカバー１２ｂの係合穴１２ｄ，１２ｅに嵌入されて係合される。
【００５５】
このように、各係合板９ｉ，９ｊがボックスカバー１２ｂの各係合穴１２ｄ，１２ｅと係合されることにより、主制御基板ボックス１２と役物カバー９とが結合される（図６（ａ）参照）。かかる結合によって、主制御基板ボックス１２は、役物カバー９によって図６（ａ）の反矢印Ｚ方向へのスライド移動が防止され、主制御基板ボックス取付ベース１４に対して所定位置に位置決めされて拘止されるのである。即ち、主制御基板ボックス１２は、その各係入リブ１２ａ１が各係入フック１４ｄの間隙１４ｅに係入された状態で、主制御基板ボックス取付ベース１４に拘止されるのである。
【００５６】
一方、役物カバー９が閉鎖されると、役物カバー９に取り付けられた係着具１５のロック部材１５ｂが封印ボス３ｅの挿嵌穴３ｆに挿嵌された後、一対の封印リブ９ｅ，９ｅがセーフ球集合カバー３の封印ボス３ｅ，３ｅと当接される。この結果、役物カバー９により機構盤１０の開口窓１０ｃのほぼ全域が覆われる。一方で、このようにして役物カバー９により開口窓１０ｃが覆われると、機構盤１０の補強梁１０ｄは、セーフ球集合カバー３のベース板３ａと役物カバー９における側壁板９ｃの封印リブ９ｅ側（図１０下側）端部との間に挟持される。
【００５７】
その後、係着具１５のボタン部材１５ａが操作されてロック部材１５ｂが挿嵌穴３ｆに係合される。このロック部材１５ｂの係合によって、役物カバー９が遊技盤２の裏面２ａに取着されたセーフ球集合カバー３に着脱可能に係着される。この係着によって、役物カバー９はセーフ球集合カバー３に着脱可能に仮止めされ、各通穴９ｇと各ねじ穴３ｇとの位置が正確に合致される。この後、各ねじ穴３ｇと合致された各通穴９ｇには、連結ねじ１６における軸部１６ｂの先端が挿入される。
【００５８】
連結ねじ１６は、その頭部１６ａの十字穴にねじ回し工具の先端が係合されてねじ込み方向へ回転されると、軸部１６ｂのおねじが各封印ボス３ｅの各ねじ穴３ｇへねじ込まれる。このねじ込みが完了すると、連結ねじ１６の頭部１６ａが通穴９ｇの縁部に係合され、且つ、軸部１６ｂがねじ穴３ｇに螺合されて、各封印ボス３ｅと各封印リブ９ｅとが連結される。
【００５９】
その後、封印シール１７が封印リブ９ｅと封印ボス３ｅとに跨りつつ貼付されて、この封印シール１７により通穴９ｇに係合された連結ねじ１６の頭部１６ａを覆い塞がれる。この結果、役物カバー９が遊技盤２の裏面２ａに取着されたセーフ球集合カバー３に封印されるのである（図８参照）。このように役物カバー９がセーフ球集合カバー３に封印されると、役物カバー９を介して主制御基板ボックス１２が主制御基板ボックス取付ベース１４に取り外し不能に封印される。
【００６０】
以上説明したように、本実施例のパチンコ機Ｐによれば、役物カバー９が閉鎖された場合には、役物カバー９の係合板９ｉ，９ｊがボックスカバー１２ｂの係合穴１２ｄ，１２ｅと係合されるので、主制御基板ボックス１２が主制御基板ボックス取付ベース１４に対して取り外し方向（図６（ａ）の反矢印Ｚ方向）へスライド移動することを規制することができる。即ち、主制御基板ボックス１２を主制御基板ボックス取付ベース１４に対して所定位置に位置決めして拘止することができる。
【００６１】
このため、主制御基板ボックス１２を主制御基板ボックス取付ベース１４から取り外す場合には、役物カバー９を開放して一対の係合板９ｉ，９ｊと係合穴１２ｄ，１２ｅとの係合を解除しなければならない。よって、主制御基板ボックス１２は、役物カバー９が閉鎖された状態では主制御基板ボックス取付ベース１４から取り外せない。従って、主制御基板ボックス１２を取り外す場合には、必ず役物カバー９の開放が必要となるため、かかる主制御基板ボックス１２の不用意な取り外しを防止することができるのである。
【００６２】
しかも、主制御基板ボックス１２と結合される役物カバー９は、連結ねじ１６により遊技盤２の裏面２ａに取着されるセーフ球集合カバー３に連結されて封印シール１７によりセーフ球集合カバー３に封印されるので、かかる役物カバー９を介して主制御基板ボックス１２を主制御基板ボックス取付ベース１４に取り外し不能な状態で封印することができるのである。
【００６３】
また、主制御基板ボックス１２の各コネクタ口１２ｃから突出される各コネクタ１３ａは、セーフ球集合カバー３に封印される役物カバー９によって覆われる。よって、パチンコ機Ｐの出荷時等に、役物カバー９の不正な開封が抑制されるとともに、かかる役物カバー９により主制御基板１３の各コネクタ１３ａに不正行為が行われることを抑制することができるのである。例えば、主制御基板１３の各コネクタ１３ａに接続される接続線に「ぶら下げ基板」が接続されて、不当な賞球が払い出されるような不正行為を抑制することができるのである。
【００６４】
更に、係合板９ｉ，９ｊ及び係合穴１２ｄ，１２ｅの係合による役物カバー９と主制御基板ボックス１２との結合は、役物カバー９の閉鎖動作に伴ってなされるので、役物カバー９の閉鎖動作と一括して、役物カバー９及び主制御基板ボックス１２の結合を行うことができる。よって、別途、役物カバー９と主制御基板ボックス１２との結合作業を行う必要がないので、パチンコ機Ｐ全体としての組立作業を簡素化することができるのである。しかも、従来のパチンコ機のように主制御基板ボックスにフック部材を別途取着する必要がないので、パチンコ機Ｐ全体としての部品点数を減少して、その分、パチンコ機Ｐの組立作業を簡素化することができるのである。
【００６５】
次に、図１１を参照して、前記した実施例の変形例について説明する。以下、第１実施例と同一の部分には同一の符号を付してその説明を省略し、異なる部分のみを説明する。図１１は、第２実施例のパチンコ機に使用される遊技盤２０の下面図であって、その一部を部分的に断面視している。第２実施例の遊技盤２０は、上記の第１実施例の遊技盤２に対して、主制御基板ボックス１２をセーフ球集合カバー３（遊技盤２０）に取着し、更に、主制御基板ボックス１２の取着位置の変更に応じて役物カバーの形状を変更したものである。
【００６６】
図１１に示すように、遊技盤２０では、その裏面２ａにセーフ球集合カバー３が取着され、このセーフ球集合カバー３の球集合樋３ｂ裏面（図１１の上面）に主制御基板ボックス取付ベース１４が取着されている。この主制御基板ボックス取付ベース１４には、主制御基板ボックス１２が取着され、この結果、主制御基板ボックス１２は、セーフ球集合カバー３及び主制御基板ボックス取付ベース１４を介して、遊技盤２０の裏面２ａに取着されている。
【００６７】
主制御基板ボックス１２は、セーフ球集合カバー３に封印される役物カバー２１によって、主制御基板ボックス１２の外部に突出される主制御基板１３のコネクタ（図１１では図示せず）が覆われている。しかも、遊技盤２０の裏面２ａの配設穴（図示せず）に配設される構成部品群は、第１実施例と同様に、役物カバー２１によって覆われるので、遊技盤２に配設された構成部品群に役物カバー２１の外部から接触することを防止することができる。
【００６８】
また、ボックスカバー１２ｂの係合穴１２ｄ，１２ｅには、役物カバー２１の下壁板２１ａに突設された一対の係合板９ｉ，９ｊが係合されるので、第１実施例と同様に、役物カバー２１を開放しない限り、主制御基板ボックス１２を主制御基板ボックス取付ベース１４から取り外すことができない。
【００６９】
以上のように、第２実施例の遊技盤２０によれば、遊技盤２０に配設される構成部品群や主制御基板１３のコネクタは、セーフ球集合カバー３に封印される役物カバー２１によって覆われるので、例えば、その遊技盤２０が単独で取引される場合や、遊技盤２０が工場内に保管される場合に、構成部品群や主制御基板１３のコネクタに「ぶら下げ基板」を接続するような不正行為を抑制することができるのである。
【００７０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００７１】
例えば、本実施例では、係合板９ｉ，９ｊ及び係合穴１２ｄ，１２ｅの係合により役物カバー９と主制御基板ボックス１２とを結合したが、かかる役物カバーと主制御基板ボックス１２との結合手段は必ずしもこれに限られるものではなく、主制御基板ボックスが役物カバーを介して主制御基板ボックス取付ベースから取り外し不能となれば良い。具体的には、図６（ａ）に示す各コネクタ口１２ｃから突出されたコネクタ１３ａの下面と、そのコネクタ１３ａの下面と間隔を隔てて対向するボックスカバー１２ｂの上壁面との間（係合凹部）に役物カバーの下壁板（係合突起）を差し込んで、役物カバーと主制御基板ボックスとを結合しても良い。
【００７２】
また、本実施例では、役物カバー９に係合板９ｉ，９ｊを突設し、主制御基板ボックス１２に係合穴１２ｄ，１２ｅを凹設したが、逆に、役物カバーに係合穴を凹設し、主制御基板ボックスに係合板を突設しても良い。更に、本実施例では、本発明の第１及び第２結合部として、係合板９ｉ，９ｊ及び係合穴１２ｄ，１２ｅを例に説明したが、第１及び第２結合部は必ずしもこれに限られるものではない。例えば、役物カバー又は主制御基板ボックスの一方に柱状のボスを突設し、かかるボスが係合可能な凹部を役物カバー又は主制御基板ボックスの他方に設け、その凹部にボスを係合させても良い。
【００７３】
本実施例では、連結ねじ１６により封印ボス３ｅ，３ｅと封印リブ９ｅ，９ｅとを連結した後、封印シール１７を貼付することによって、役物カバー９をセーフ球集合カバー３に封印したが、かかる役物カバーの封印手段は必ずしもこれに限られるものではなく、例えば、遊技機用の基板ボックスの封印手段として用いられるワンウェイねじによるカシメ、板バネ状の金具によるカシメ、高周波ウェルダー等による熱カシメ、南京錠、又は、前面枠にガラス扉枠を施錠するために使用されるロックユニットと同種類の施錠装置を適用しても良い。
【００７４】
また、役物カバー９を遊技盤２の裏面２ａ側に取着したカバー支持部材３ｃにより支持したが、かかる役物カバーの支持位置は必ずしもこれに限られるものではなく、例えば、役物カバーを機構盤に開閉可能に支持する構成としても良い。
【００７５】
更に、本実施例では、封印ボス３ｅはセーフ球集合カバー３のベース板３ａに一体的に形成されたが、封印リブの配設位置は必ずしもこれに限られるものではなく、例えば、前面枠１における側縁フレーム１ｂの裏面側に設けても良く、また、セーフ球集合カバーのベース板と別体に形成された封印ボスを遊技盤の裏面にねじ止めしても良い。かかる別体の封印ボスを遊技盤の裏面にねじ止めする場合には、そのねじ止め箇所を、遊技盤の裏面における機構盤や役物カバーとの対向面に設けると良い。このようにすれば、役物カバーを開封しない限り封印ボスのねじ止めが外されることがない。よって、例えば、ねじ止めされた封印ボスが遊技盤の裏面から外されて、役物カバーが不正に開封されることを防止できる。
【００７６】
尚、以下本発明の変形例を示す。遊技の制御を行う制御基板を被包する基板ボックスと、その基板ボックスを遊技盤又は機構盤等の裏面側に保持する保持部材と、その保持部材に隣接して配設され前記遊技盤又は機構盤等の裏面側を覆うカバー部材とを備え、前記基板ボックスが前記保持部材に対して所定方向に取り外し可能に構成された遊技機において、前記基板ボックスに設けられる第１結合部と、その第１結合部と結合自在に前記カバー部材に設けられる第２結合部とを有し、前記遊技盤又は機構盤等の裏面側が前記カバー部材により覆われる場合に、前記第１及び第２結合部を結合して前記基板ボックスの取り外し方向への移動を規制するボックス拘止具とを備えていることを特徴とする遊技機１。
【００７７】
この遊技機１によれば、ボックス拘止具は、基板ボックスに設けられる第１結合部とカバー部材に設けられる第２結合部とが結合されることによって、基板ボックスの取り外し方向への移動を規制するので、基板ボックスを取り外すためにはカバー部材を遊技盤又は機構盤等の裏面側から取り外さなければならない。即ち、基板ボックスは、遊技盤又は機構盤等の裏面側がカバー部材で覆われた状態では取り外せないので、基板ボックスの不用意な取り外しを防止することができる。
【００７８】
請求項１記載の遊技機、又は、遊技機１において、前記第１又は第２結合部の一方は、前記基板ボックス又はカバー部材の一方に凹設される係合凹部で構成され、前記第１又は第２結合部の他方は、その係合凹部と係合可能に前記基板ボックス又はカバー部材の他方に突設される係合突起で構成されており、その係合突起は、前記カバー部材の閉鎖動作に伴って前記係合凹部に嵌入されるものであることを特徴とする遊技機２。
【００７９】
この遊技機２によれば、カバー部材の閉鎖動作に伴って、係合突起が係合凹部に嵌入されて係合されるので、カバー部材の閉鎖動作と一括してカバー部材と基板ボックスとの結合を行うことができる。よって、別途、カバー部材と基板ボックスとの結合作業を行う必要がないので、遊技機全体としての組立作業を簡素化することができる。しかも、従来の遊技機のように、基板ボックスにフック部材を別途取着する必要がないので、遊技機全体としての部品点数を減少して、その分、遊技機の組立作業を簡素化することができるのである。
【００８０】
請求項１記載の遊技機、又は、遊技機１あるいは２において、前記遊技盤又は機構盤等の裏面側に設けられる第１封印部と、その第１封印部に対応して前記カバー部材に設けられる第２封印部と、その第２及び第１封印部を連結し、前記カバー部材を前記遊技盤又は機構盤等の裏面側に封印する封印具とを備えていることを特徴とする遊技機３。この遊技機３によれば、封印具によりカバー部材が遊技盤の裏面側に封印されることによって、カバー部材とともに基板ボックスを所定の取着位置から取り外し不能な状態で封印することができるのである。
【００８１】
請求項１記載の遊技機、又は、遊技機１から３のいずれかにおいて、前記制御基板には、その制御基板と他の回路基板等とを電気的に接続する接続部品が搭載され、前記基板ボックスには前記接続部品が導出される開口部が形成され、前記カバー部材の少なくとも一部は前記第１及び第２結合部の結合状態において前記開口部に覆い被さるように形成されていることを特徴とする遊技機４。この遊技機４によれば、接続部品が導出される基板ボックスの開口部は、カバー部材の一部によって覆われるので、接続部品への接触行為を防止するとともに、接続部品への不正行為を防止することができる。
【００８２】
遊技機１において、前記基板ボックス又は保持部材の一方に設けられる係入突起と、その係入突起に対応して前記基板ボックス又は保持部材の他方に設けられ、その保持部材に前記基板ボックスを取り付ける場合に前記係入突起が係入される係入部とを備え、前記ボックス拘止具は、前記第１及び第２結合部の結合によって前記係入部に係入された前記係入突起の反係入方向への移動を規制するものであることを特徴とする遊技機５。
【符号の説明】
【００８３】
２，２０          遊技盤
２ａ              裏面（遊技盤の裏面側の一部）
２ｆ              遊技領域
３                セーフ球集合カバー（遊技盤の裏面側の一部）
３ｅ              封印ボス（第１封印部）
９，２１          役物カバー（カバー部材）
９ｅ              封印リブ（第２封印部）
９ｉ，９ｊ        係合板（係合突起、第２結合部、ボックス拘止具の一部）
１０              機構盤
１０ｄ            補強梁
１２              主制御基板ボックス（基板ボックス）
１２ａ１          係入リブ（係入突起）
１２ｃ            コネクタ口（開口部）
１２ｄ，１２ｅ    係合穴（係合凹部、第１結合部、ボックス拘止具の一部）
１３              主制御基板（制御基板）
１３ａ            コネクタ（接続部品）
１４              主制御基板ボックス取付ベース（保持部材）
１４ｄ            係入フック（係入部の一部）
１４ｅ            間隙（係入部の一部）
１６              連結ねじ（封印具の一部）
１７              封印シール（封印具の一部）
Ｐ，２０，３０    パチンコ機（遊技機）
【図１】
2010179165.tif 000003
【図２】
2010179165.tif 000004
【図３】
2010179165.tif 000005
【図４】
2010179165.tif 000006
【図５】
2010179165.tif 000007
【図６】
2010179165.tif 000008
【図７】
2010179165.tif 000009
【図８】
2010179165.tif 000010
【図９】
2010179165.tif 000011
【図１０】
2010179165.tif 000012
【図１１】
2010179165.tif 000013